(57)【特許請求の範囲】
【請求項１】
間接活線工具の安全限界位置に取付可能な本体と、該本体に取り付けられた照明とを備え、
前記本体は、傘状の鍔部を有し、
前記照明は、前記鍔部の開口端面で開口する導出孔に設けられた発光部を含む発光体を有することを特徴とする間接活線工具の安全限界位置の標示装置。
【請求項２】
前記本体は、間接活線工具の棒本体に取り付けられる筒状の取付部を有し、鍔部は、前記取付部の端部に連続して形成され、取付部の開口端部から鍔部の開口端部にかけて延びる線状の切欠きが形成されることを特徴とする請求項１に記載の間接活線工具の安全限界位置の標示装置。
【請求項３】
前記照明は、前記発光体を複数有することを特徴とする請求項２に記載の間接活線工具の安全限界位置の標示装置。
【請求項４】
前記本体は、間接活線工具の具備する安全限界位置目印体に重ね合わせ可能に形成されることを特徴とする請求項１乃至３のいずれか１項に記載の間接活線工具の安全限界位置の標示装置。
【発明の詳細な説明】
【技術分野】
【０００１】
本発明は、間接活線工具の安全限界位置を標示する間接活線工具の安全限界位置の標示装置に関する。
【背景技術】
【０００２】
従来から間接作業を行うために、間接活線工具が提供されている。該間接活線工具は、図６に示す如く、絶縁性のある絶縁操作棒１０１を備える。
【０００３】
前記絶縁操作棒１０１は、棒本体１０２と、該棒本体１０２の基端側に配置され、作業者が把持するためのグリップ１０３と、棒本体１０２の先端側に配置され、付着した雨水が先端側から基端側に流れないようにするための雨切りつば１０４と、棒本体１０２における雨切りつば１０４とグリップ１０３との間に配置され、作業者と充電部との安全距離を確保するための鍔状の安全限界位置目印体１０５とを有する（特許文献１参照）。
【０００４】
また、配電線の保守作業等の電設工事を行う場合、作業者は、高所作業車が具備するバケットに搭乗し、作業領域にバケットを移動させ、前記間接活線工具１００を使用して所要の作業を行っている。
【０００５】
また、地上では、現場責任者が、活線（充電部）に対して所定の距離を超えて近づかないように作業者を監視している。具体的には、現場責任者は、間接活線工具１００の安全限界位置（安全限界位置目印体１０５）を視認しつつ、該安全限界位置に対する作業者を監視している。
【先行技術文献】
【特許文献】
【０００６】
【特許文献１】特開２００８−２０６２５３号公報
【発明の概要】
【発明が解決しようとする課題】
【０００７】
ところで、夜間などの暗所において間接活線作業を行う場合、作業者及び現場責任者が安全限界位置を見落としてしまうおそれがある、という問題がある。
【０００８】
そこで、本発明は、上記問題に鑑み、作業現場の安全性を向上できる間接活線工具の安全限界位置の標示装置を提供することを目的とする。
【課題を解決するための手段】
【０００９】
本発明に係る間接活線工具の安全限界位置の標示装置は、間接活線工具の安全限界位置に取付可能な本体と、該本体に取り付けられた照明とを備え、前記本体は、傘状の鍔部を有し、前記照明は、前記鍔部の開口端面で開口する導出孔に設けられた発光部を含む発光体を有することを特徴とする。
【００１０】
かかる構成によれば、夜間などの暗所において間接活線工具の安全限界位置を、照明によって明るく照らすことで外部に標示できる。これにより、間接活線工具を使用中の作業者が安全限界位置を視認できる。また、地上から監視する現場責任者が間接活線工具の安全限界位置を視認できる。したがって、作業現場の安全性が向上する。また、間接活線工具の安全限界位置の標示装置は、間接活線工具の安全限界位置に対して取付可能であるため、耐電圧試験時等に間接活線工具から取り外すことで対応できる。
【００１１】
本発明に係る間接活線工具の安全限界位置の標示装置の一態様として、前記本体は、間接活線工具の棒本体に取り付けられる筒状の取付部を有し、鍔部は、前記取付部の端部に連続して形成され、取付部の開口端部から鍔部の開口端部にかけて延びる線状の切欠きが形成されることが好ましい。
【００１２】
かかる構成によれば、取付部の開口端部から鍔部の開口端部にかけて延びる線状の切欠きによって、取付部の開口端部から鍔部の開口端部にかけて一対の対向端面が形成される。そして、切欠きによって形成された一対の対向端面間を押し広げて、間接活線工具の棒本体の外側から取付部内に嵌め入れて、棒本体に取付部を装着する。これにより、間接活線工具の安全限界位置を光によって標示することができる。
【００１３】
本発明に係る間接活線工具の安全限界位置の標示装置の他態様として、前記照明は、前    記発光体を複数有することが好ましい。
【００１４】
前記鍔部の開口端部に複数の発光体が配置されるため、前記鍔部の開口端部から斜め外方に向かって光が照射されるようになり、間接活線工具を操作する作業者、及び現場責任者の位置から間接活線工具の安全限界位置を視認しやすくなる。
【００１５】
本発明に係る間接活線工具の安全限界位置の標示装置の他態様として、前記本体は、間接活線工具の具備する安全限界位置目印体に重ね合わせ可能に形成されることが好ましい。
【００１６】
かかる構成によれば、間接活線工具の具備する安全限界位置目印体に対し、本体を重ね合わせ可能に構成することで、間接活線工具の安全限界位置に対し本体を位置決めできる。
【発明の効果】
【００１７】
以上のように、本発明によれば、夜間などの暗所において間接活線工具の安全限界位置を、間接活線工具を操作中の作業者、及び該作業者を監視する現場責任者が視認でき、作業現場の安全性を向上することができる。
【図面の簡単な説明】
【００１８】
【図１】図１は、本発明の一実施形態に係る安全限界位置の標示装置を備えた間接活線工具を示す図である。
【図２】図２は、図１の標示装置の斜視図である。
【図３】図３は、図１の標示装置の一部を破断した図である。
【図４】図４（ａ）は、同実施形態に係る標示装置を間接活線工具の安全限界位置に装着するときの説明図、図４（ｂ）は、同実施形態に係る標示装置を間接活線工具の安全限界位置に装着した状態を示す図である。
【図５】図５は、同実施形態に係る間接活線工具を使用した作業現場の説明図である。
【図６】図６は、間接活線工具（絶縁ヤットコ）を示す図である。
【発明を実施するための形態】
【００１９】
本発明の一実施形態に係る間接活線工具の安全限界位置の標示装置について図面を参照しながら説明する。なお、本実施形態の場合、夜間などの暗所において、配電線の保守作業等の電設工事を行うことを前提とし、高所作業車を使用するものとする。また、間接活線工具としては、絶縁ヤットコを使用するものとする。
【００２０】
本実施形態を説明するに先立って、間接活線工具及び高所作業車について説明する。
【００２１】
間接活線工具は、本実施形態においては、絶縁ヤットコを例にとって説明する。該絶縁ヤットコは、図１に示す如く、作業者によって支持される絶縁操作棒１０を備える。絶縁操作棒１０は、棒本体１１と、該棒本体１１の基端側に配置され、作業者が把持するためのグリップ１２と、棒本体１１の先端側に配置され、付着した雨水が先端側から基端側に流れないようにするための雨切りつば１３と、棒本体１１における雨切りつば１３とグリップ１２との間に配置され、作業者と充電部との安全距離を確保するための鍔状の安全限界位置目印体１４とを有する。また、絶縁操作棒１０の先端には、一対の把持部が設けられ、絶縁操作棒１０の基端側には、一対の把持部を操作するための操作部が設けられる。また、該操作部の動作を一対の把持部に伝達する伝達棒であって、絶縁操作棒１０よりも小径の伝達棒をさらに備える。
【００２２】
高所作業車は、図５に示す如く、走行可能な車両２０であって、旋回可能な旋回台２１が搭載された荷台２２を有する車両２０と、旋回台２１に設置された伸縮可能なブーム２３であって、先端にバケット２４が取り付けられたブーム２３と、車両２０を地面に固定する伸縮可能なアウトリガー２５とを備える。なお、作業現場には、作業領域を照射するための照明装置２６が設置される。
【００２３】
本実施形態に係る間接活線工具の安全限界位置の標示装置は、図１〜図４に示す如く、後述する間接活線工具１の安全限界位置に取付可能な本体３０と、該本体３０に取り付けられた照明５とを備える。間接活線工具１の安全限界位置は、具体的には、間接活線工具１が具備する安全限界位置目印体１４であり、該安全限界位置目印体１４に本体３０が重ね合わせ可能に形成される。
【００２４】
具体的に説明すると、本体３０は、図４（ａ）に示す如く、安全限界位置目印体１４の具備する筒状部１４ａを被覆する取付部３１と、前記筒状部１４ａの端部に連続して形成される傘状のつば部１４ｂを被覆する鍔部３２とを有する。また、本体３０には、取付部３１の開口端部から鍔部３２の開口端部にかけて延びる線状の切欠き３３が形成され、該切欠き３３によって、取付部３１の開口端部から鍔部３２の開口端部にかけて一対の対向端面３４，３４が形成される。また、本体３０は、安全限界位置目印体１４に対して取り付けるための締結手段４をさらに備える。
【００２５】
取付部３１は、外周面に突設された電池収納部３１ａであって、後述する発光体５０を発光させるための電源５１を供給する電池を収納可能な電池収納部３１ａと、発光体５０をオン・オフするスイッチ５２が収納されるスイッチ収納部３１ｂであって、電池収納部３１ａの近傍の取付部３１の外周面に突設されたスイッチ収納部３１ｂとを備える。
【００２６】
取付部３１から鍔部３２の開口端部にかけて発光体５０の一対のリード線５０ｂ，５０ｂを配線するための配線用スペース３２ａが形成される。また、鍔部３２の開口端部には、発光体５０の発光部５０ａを外部に対して斜め外方に導出する導出孔３２ｂが所定の間隔をおいて形成される。そして、配線用スペース３２ａの一端部は、電池収納部３１ａに連通し、配線用スペース３２ａの他端部は導出孔３２ｂに連通する。
【００２７】
締結手段４は、本実施形態では、締結バンドが使用される。具体的には、電池収納部３１ａを挟んだ本体３０の両側に周方向に沿って固定されたベルト体４０と、該ベルト体４０の基端に配置された被係止部４１であって、ベルト体４０の先端側を挿通可能な挿通孔４１ａを有する被係止部４１と、ベルト体４０の先端部に形成された係止部４２であって、被係止部４１の挿通孔４１ａの周縁部に係止可能な係止突起４２ａを有する係止部４２とを備える。
【００２８】
照明５は、鍔部３２の開口端部に配置された複数の発光体５０と、該複数の発光体５０を点灯させるための複数の電源５１と、発光体５０と電源５１とを電気的に接続するスイッチ５２であり、発光体５０を点灯及び消灯させるスイッチ５２とを備える。
【００２９】
発光体５０は、本実施形態では、発光ダイオード（ＬＥＤ）が使用される。具体的には、該発光体５０は、鍔部３２の導出孔３２ｂから斜め外方に導出された発光部５０ａと、＋電極及び−電極にそれぞれ接続された一対のリード線５０ｂ，５０ｂとを有する。
【００３０】
電源５１は、本実施形態では、直流電源を備える。具体的には、複数又は単数のボタン電池が使用される。そして、複数又は単数の電池によって複数の発光体５０が点灯する。
【００３１】
スイッチ５２は、本実施形態では、防水仕様のものを使用する。具体的には、本体３０の取付部３１の軸線に対して直交する方向に押し操作可能な操作ボタン５２ａと、該操作ボタン５２ａを外側から覆うゴム製のカバー５２ｂとを備える。
【００３２】
そして、直列接続又は並列接続された複数の発光体５０と、複数又は単数の電源５１とがスイッチ５２を介して電気的に接続され、スイッチ５２をオン・オフすることで、複数の発光体５０を点灯させたり、消灯させたりすることができる。
【００３３】
つぎに本実施形態に係る間接活線工具の安全限界位置の標示装置の使用態様について説明する。なお、高所作業車２の運転手は、作業現場においてアウトリガー２５を伸長して、地面に対して荷台２２を水平方向に固定しているものとする。また、ブーム２３は短縮された状態になっているものとする。また、照明装置２６は作業領域を照射すべく点灯されているものとする。
【００３４】
まず、作業者Ａは、間接活線工具１の安全限界位置に、間接活線工具の安全限界位置の標示装置３を装着する。具体的には、切欠き３３によって形成された本体３０の一対の対向端面３４，３４間を押し広げて、安全限界位置目印体１４の外側から本体３０を覆い被せる。具体的には、安全限界位置目印体１４は、本体３０内に挿入され、本体３０の取付部３１によって、安全限界位置目印体１４の筒状の筒状部１４ａが被覆されるとともに、本体３０の鍔部３２によって、安全限界位置目印体１４の傘状のつば部１４ｂが被覆される。このとき、本体３０の一対の対向端面３４，３４間は少し開いた状態になっている。
【００３５】
つぎに、締結手段４のベルト体４０の被係止部４１に係止突起４２ａを係止させ、本体３０の一対の対向端面３４，３４同士を接合させ、一対の対向端面３４，３４間を閉じる。これにより、安全限界位置目印体１４に本体３０が固定される。
【００３６】
つぎに、作業者Ａは、照明５が取り付けられた間接活線工具１を持って高所作業車２のバケット２４に搭乗する。
【００３７】
そして、バケット２４に搭乗した作業者Ａは、間接活線工具の安全限界位置の標示装置３のスイッチ５２をオンにして、間接活線工具１の安全限界位置の標示装置３の複数の発光体５０を点灯させる。これにより、間接活線工具１の安全限界位置が点灯標示される。
【００３８】
つぎに、高所作業車２の運転手は、ブーム２３を伸長してバケット２４をケーブルＣの近傍に移動させ、作業者Ａが作業者しやすい位置にバケット２４を配置する。
【００３９】
その後、ケーブルＣの近傍に位置した作業者Ａは、間接活線工具１を用いて所要の作業を行う。
【００４０】
バケット２４の作業者Ａによる作業を現場責任者Ｂは地上から監視する。具体的には、現場責任者Ｂは、ケーブル（活線）Ｃに対して作業者Ａが所定の距離を超えて近づかないように監視しており、点灯標示された間接活線工具１の安全限界位置を視認しつつ、該安全限界位置に対する作業者Ａを監視している。
【００４１】
このように、本実施形態に係る間接活線工具の先端工具によれば、夜間などの暗所において間接活線工具１の安全限界位置を、間接活線工具１を操作中の作業者Ａ、及び安全限界位置に対する作業者Ａを監視する現場責任者Ｂが視認でき、作業現場の安全性を向上することができる。
【００４２】
なお、本発明は、前記実施形態に限定されるものではなく、本発明の要旨を逸脱しない範囲で種々変更を加え得ることは勿論のことである。
【００４３】
例えば、前記実施形態の場合、間接活線工具の安全限界位置の標示装置３を、間接活線工具１の安全限界位置目印体１４に対して取付可能としたが、間接活線工具１の安全限界位置目印体１４に組み込まれていてもよい。この場合、配電線の保守作業等の電設工事時、間接活線工具１の安全限界位置目印体１４への取付作業が不要になる。
【００４４】
また、前記実施形態の場合、発光体５０としてＬＥＤを使用したが、フィラメント電球やキセノン球であってもよい。要は、間接活線工具１を使用する作業者Ａ、及び安全限界位置を監視する現場責任者Ｂが、作業している間、間接活線工具１の安全限界位置を視認できるように標示できればよい。
【００４５】
また、前記実施形態の場合、間接活線工具１として、絶縁ヤットコを例にとって説明したが、絶縁操作棒の先端に先端工具が着脱される共用操作棒であって、絶縁操作棒の基端側にグリップを有する共用操作棒でもよい。要は、間接活線工具１において安全限界位置を標示できればよい。
【符号の説明】
【００４６】
１…間接活線工具、１４…安全限界位置目印体、１４ａ…筒状部、１４ｂ…つば部、２…高所作業車、３…間接活線工具の安全限界位置の標示装置、３０…本体、３１…取付部、３２…鍔部、３３…切欠き、５…照明、５０…発光体、５１…電源、５２…スイッチ、Ａ…作業者、Ｂ…現場責任者、Ｃ…ケーブル（活線）
【図１】
0006501152.tif 000002
【図２】
0006501152.tif 000003
【図３】
0006501152.tif 000004
【図４】
0006501152.tif 000005
【図５】
0006501152.tif 000006
【図６】
0006501152.tif 000007